(57)【要約】 【課題】  カメラを極めて簡単にかつそれにも拘わらず正確に位置決め可能であると共に、比較的有利に製造可能な、カメラを支持体に保持するための装置の提供。【解決手段】  カメラ（１）を支持体に保持するための装置であって、基底部材（２）と、前記カメラ（１）を保持するよう構成され前記基底部材（２）に結合可能な保持部材（６）を有し、前記基底部材（２）は、プレスベンディング部材として薄板で一体的に形成され、該基底部材（２）の長手方向に延在する複数の案内ウェブ（１７，１８，１９）を有し、及び、該長手方向に対する横方向に所定の間隔をおいて配された弾性舌状部（３１，３２）を含んで構成され、前記保持部材（６）は、当該保持部材（６）が前記基底部材（２）に対し長手方向に案内され摺動可能であるように前記案内ウェブ（１７，１８，１９）の各々に対し夫々１つのウェブ受容部（２０，４７，４８）を有し、及び、前記弾性舌状部（３１，３２）の各々に対し夫々１つの舌状部受容部（３３，３４）を含んで構成され、前記弾性舌状部（３１，３２）は、前記基底部材（２）に対する前記保持部材（６）の固定位置において、前記舌状部受容部（３３，３４）と係合し、該保持部材（６）を該基底部材（２）に対する長手方向の摺動に対し固定するよう構成された保持装置。【選択図】  図２
2009545760.tif 000002
【特許請求の範囲】
【請求項１】
カメラ（１）を支持体に保持するための装置であって、
基底部材（２）と、前記カメラ（１）を保持するよう構成され前記基底部材（２）に結合可能な保持部材（６）を有し、
前記基底部材（２）は、プレスベンディング部材として薄板で一体的に形成され、該基底部材（２）の長手方向に延在する複数の案内ウェブ（１７，１８，１９）を有し、及び、該長手方向に対する横断方向に所定の間隔をおいて配された弾性舌状部（３１，３２）を含んで構成され、
前記保持部材（６）は、当該保持部材（６）が前記基底部材（２）に対し長手方向に案内され摺動可能であるように前記案内ウェブ（１７，１８，１９）の各々に対し夫々１つのウェブ受容部（２０，４７，４８）を有し、及び、前記弾性舌状部（３１，３２）の各々に対し夫々１つの舌状部受容部（３３，３４）を含んで構成され、
前記弾性舌状部（３１，３２）は、前記基底部材（２）に対する前記保持部材（６）の固定位置において、前記舌状部受容部（３３，３４）と係合し、該保持部材（６）を該基底部材（２）に対する長手方向の摺動に対し固定するよう構成された保持装置。
【請求項２】
前記基底部材（２）は、前記複数の案内ウェブ（１７，１８，１９）が前記保持部材（６）の方向に延在する突出部としてプレス加工されている平面状の基底プレート（３）を有すること
を特徴とする請求項１に記載の装置。
【請求項３】
前記基底プレート（３）に対し直角に配向された複数の縁部ウェブ（１２，１３，１４）が該基底プレート（３）に折り曲げ形成されていること
を特徴とする請求項２に記載の装置。
【請求項４】
前記弾性舌状部（３１，３２）は、互いに対向して位置する縁部ウェブ（１２，１４）の、前記基底プレート（３）から離隔する側の端部に形成されていること
を特徴とする請求項３に記載の装置。
【請求項５】
前記弾性舌状部（３１、３２）は、それぞれ１つの係合凸状部（３７）を含んで構成されること
を特徴とする請求項１〜４の何れか１項に記載の装置。
【請求項６】
前記保持部材（６）は、前記係合凸状部（３７）に対し相補的に形成された係合凹状部（４４）を含んで構成されること
を特徴とする請求項５に記載の装置。
【請求項７】
前記保持部材（６）は、固定位置において１つの縁部ウェブ（１２）の端面に当接する係止ノーズ（３５）を有すること
を特徴とする請求項１〜６の何れか１項に記載の装置。
【請求項８】
前記保持部材（６）は、複数の側壁（２３，２４）を備え、カメラ（１）のカメラケーシング（２９）に形成された嵌合ヘッド（２７，２８）を受容するための嵌合切欠部（２５，２６）を備えた受容ケージ（２２）を有すること
を特徴とする請求項１〜７の何れか１項に記載の装置。
【請求項９】
前記受容ケージ（２２）には、固定位置において１つの縁部ウェブ（１２，１３，１４）に当接する係止ノーズ（３５）が形成されていること
を特徴とする請求項３および８に記載の装置。
【発明の詳細な説明】
【技術分野】
【０００１】
本発明は、カメラを支持体に保持するための装置に関する。
【背景技術】
【０００２】
基底部材と、該基底部材と結合可能な保持部材を有する雨滴センサを支持体に固定するための装置がＤＥ １０ ２００４ ０３２ ７４９ Ｂ３に記載されている。雨滴センサは、基底部材と保持部材の間に配される。
【先行技術文献】
【特許文献】
【０００３】
【特許文献１】ＤＥ １０ ２００４ ０３２ ７４９ Ｂ３
【発明の概要】
【発明が解決しようとする課題】
【０００４】
本発明の課題は、カメラを極めて簡単にかつそれにも拘わらず正確に位置決め可能であると共に、比較的有利に製造可能な、カメラを支持体に保持するための装置を提供することである。
【課題を解決するための手段】
【０００５】
上記の課題は、請求項１の特徴を備える、カメラを支持体に保持するための装置により解決される。
【発明を実施するための形態】
【０００６】
本発明の装置は、プレスベンディング（プレス曲げ加工）部材として（金属）薄板で一体的に形成されかつ長手方向に延在する複数の案内ウェブを有する基底部材を有することによって、案内ウェブの各々に対し夫々１つのウェブ受容部を有する保持部材を極めて簡単に基底部材上で摺動する（摺動して嵌め合わせる）ことができる。固定位置における弾性舌状部と舌状部受容部の協働によって、保持部材従って該保持部材に結合されたカメラは正確に位置決めされる。
【０００７】
本発明のさらなる有利な実施の形態は従属請求項の対象である。
【０００８】
以下に、本発明の有利な実施例及び本発明の装置の利点を図面を参照して詳細に説明する。
【図面の簡単な説明】
【０００９】
【図１】本発明の装置の一実施例を、支持体を指向する下面側から見た斜視図。
【図２】図１の実施例を、支持体の反対側を指向する上面側から見た斜視図。
【図３】図１及び図２に示した実施例の基底部材を、保持部材を指向する側から見た斜視図。
【図４】図１及び図２に示した実施例の保持部材を、基底部材の反対側を指向する側から見た斜視図。
【実施例】
【００１０】
図１は、とりわけ自動車のウィンドウガラス（Scheibe）として構成された支持体（図１に不図示）にカメラ１を固定するための本発明の装置の一実施例の斜視図である。図１の実施例は、プレス曲げ加工部材として（金属）薄板で一体的に形成された基底部材２を有する。基底部材２は、当該基底部材２の長手方向に延在する複数の舌状延出縁部４，５をその一方の端部に含んで構成された平面状の基底プレート３を有する。舌状延出縁部４，５は、各自の接続基部から自由端部の方向に鳩尾状に拡開する間隔が形成されるよう延在し、かくて、舌状延出縁部４，５の間にはＶ字状の視野用切欠部（Sichtfeldausnehmung）が形成される。
【００１１】
図１から明らかなとおり、本発明の装置の図１に図示された実施例は、更に、基底部材２に結合されかつ以下に詳細に説明するような態様でカメラ１を保持するように構成されたプラスチック製の保持部材６を有する。図１から明らかなとおり、保持部材６は、舌状延出縁部４，５の間に形成された視野用切欠部を（上方で）覆い、拡開するよう延在する舌状延出縁部４，５の内縁の延長方向に基底部材２を越えて延在し、及びその構造高さがカメラ１から離隔する方向において減少するよう構成されたシールドカバー７を有する。シールドカバー７は、舌状延出縁部４，５の互いに重なる（交差する）よう延在するべき端部の領域に配置されるカメラ１の対物レンズ１０の視野を横方向においても限定（画定）する両側部の縁部壁８，９を有する。
【００１２】
図１は、更に、この実施例では基底部材２にセンサ装置１１が付設されている様子を示している。
【００１３】
図２は、図１による実施例を、図２にも図示されてない支持体から離隔する側から見た斜視図である。図２から明らかなとおり、基底部材２は、長手方向に対し平行に延在する複数の縁部ウェブ、即ち、一方の長手側に形成された内側縁部ウェブ１２及び該内側縁部ウェブ１２に対し横方向外方にずらされて位置する外側縁部ウェブ１３、及び、反対側の他方の長手側に形成された連続的に（中途で分断されずに）延在する長手縁部ウェブ１４を含んで構成されている。これらの縁部ウェブは、それぞれ基底部材２の長手方向に延在し、かつ、基底プレート３に対し直角に配向されている。基底プレート３と外側縁部ウェブ１３及び長手縁部ウェブ１４との間の移行領域には、図２に図示されていないシステムカバー（の係合部）が嵌合可能でありかつ基底部材２の運搬の際の掴持に利用可能な係合切欠部１５，１６が形成されている。
【００１４】
基底プレート３には、基底部材２の長手方向に延在する複数の案内ウェブ（ないし案内突条）１７，１８，１９がブリッジ状の突出部としてプレス加工により形成されているが、これらの案内ウェブ１７，１８，１９は、当該案内ウェブ１７，１８，１９に対して相補的に形成された（複数の）ウェブ受容部（ないしウェブ受け）を含んで構成された保持部材６を基底部材２上で摺動する（摺動して嵌め合わせる）際に案内することができる。ウェブ受容部の１つは、図２から分かるとおり、保持部材６の受容ケージ２２の後壁２１から外方に延在する２０として構成されている。
【００１５】
受容ケージ２２は、更に、（後）端壁２１に対して実質的に直角に配向されると共に、ウェブ受容台２２の反対側を指向する端壁２１の側においてシールドカバー７の方向に延在する２つの側壁２３，２４を有する。側壁２３，２４には、それぞれ１つの円形の嵌合切欠部２５，２６が形成さているが、これらの嵌合切欠部２５，２６には、夫々、中央対角線（Mitteldiagonal）の両側で傾斜するよう構成されたカメラ１のカメラケーシング２９の嵌合ヘッド２７，２８が嵌まり込むことができる。このため、実質的にＬ字状に構成されたカメラケーシング２９は、その一方の（Ｌ字の）脚部が、受容ケージ２２によって包囲されかつ保持部材６に旋回（枢動）可能に配され、他方の脚部は、シールドカバー７に形成された係止ウェブ３０によってロックされる。
【００１６】
更に、図２から明らかなとおり、基底プレート３から離隔する、内側縁部ウェブ１２の上側及び基底プレート３から離隔する、長手縁部ウェブ１４の上側に、それぞれ１つの弾性舌状部３１，３２が形成されている。これらの弾性舌状部３１，３２は、図２に示した固定位置において、受容ケージ２２に形成された係止ノーズ３５が舌状延出縁部４，５（の自由端部）とは反対の側（ないし離隔する側）を指向する内側縁部ウェブ１２の（後）端面と当接すると同時に、保持部材６に形成された舌状部受容部３３，３４と夫々係合する。このため、保持部材６は、更にこれに応じてカメラ１も、確実かつ高信頼度で正確に位置決めされる。
【００１７】
図３は、図１及び図２の実施例の基底部材２を、保持部材６の指向する側を見た斜視図である。図３から明らかなとおり、この実施例では、可及的に良好な案内態様を達成するために、基底部材２の長手方向に延在しかつこの長手方向に対する横断方向において互いに対しずらされて３つの案内ウェブ１７，１８，１９が配置されている。更に、図３から明らかなとおり、弾性舌状部３１，３２は、各自の舌状セクション３６が内側縁部ウェブ１２又は長手縁部ウェブ１４の内側で延在しかつ内側縁部ウェブ１２又は長手縁部ウェブ１４に対する自由（非接続）区間があるので、弾性的にフレキシブルに（変形可能に）構成されている。舌状延出縁部４，５の自由端部とは反対の側を指向する舌状セクション３６の自由端部には、角が形成されるよう折り曲げ加工することにより、基底プレート３の方向に延在する係合凸状（折曲）部３７がそれぞれ１つ形成されている。
【００１８】
更に注目すべきことは、基底プレート３のねじれ剛性を高めるために、舌状延出縁部４，５に対向して位置する基底プレート３の縁部に、端面ウェブ３８が形成されていることである。内側縁部ウェブ１２及び長手縁部ウェブ１４と、基底プレート３との間の移行領域には、例えばセンサ装置１１のための固定領域を形成するために、長手切欠部（スリット）３９，４０が形成されている。
【００１９】
図４は、図１及び図２に基づいて説明した実施例の保持部材６を、基底部材２とは反対の側から見た図である。図４から明らかなとおり、係止ウェブ（突起）３０は、カメラケーシング２９を固定するために、受容ケージ２２の方向に突出しカメラケーシング２９の対応する脚部をロック可能に構成されたウェブノーズ（係止突部）４１を含んで構成されている。
【００２０】
更に、図４から明らかなとおり、基底部材２とは反対の側を指向する側に係合凸状部３７に対して相補的に（かみ合うように）構成された係合凹状部４４が形成されている舌状部受容部３３，３４が、受容ケージ２２のシールドカバー７を指向する側に形成されている。舌状部受容部３３、３４とシールドカバー７の間において受容ケージ２２と結合する結合ウェブ４５，４６は、縁部側に配された案内ウェブ１８，１９と係合（嵌合）するウェブ受容スリット４７，４８が更なるウェブ受容部として形成されている。
［符号の説明］
１  カメラ
２  基底部材
３  基底プレート（ベースプレート）
４，５  舌状延出縁部
６  保持部材
７  シールドカバー
１１  センサ装置
１２〜１４  内側縁部ウェブ
１７〜１９  案内ウェブ（案内突条）
２０  受容ケージ
２７，２８  嵌合ヘッド
２９  カメラケーシング
３１，３２  弾性舌状部
３３，３４  舌状部受容部
３５  係止ノーズ
３７  係合凸状部
４４  係合凹状部
４７，４８  ウェブ受容部
【図１】
2009545760.tif 000003
【図２】
2009545760.tif 000004
【図３】
2009545760.tif 000005
【図４】
2009545760.tif 000006
【手続補正書】
【提出日】平成21年3月30日(2009.3.30)
【手続補正１】
【補正対象書類名】明細書
【補正対象項目名】全文
【補正方法】変更
【補正の内容】
【発明の詳細な説明】
【技術分野】
【０００１】
本発明は、カメラを支持体に保持するための装置に関する。
【背景技術】
【０００２】
基底部材と、該基底部材と結合可能な保持部材を有する雨滴センサを支持体に固定するための装置がＤＥ １０ ２００４ ０３２ ７４９ Ｂ３に記載されている。雨滴センサは、基底部材と保持部材の間に配される。
【先行技術文献】
【特許文献】
【０００３】
【特許文献１】ＤＥ １０ ２００４ ０３２ ７４９ Ｂ３
【発明の概要】
【発明が解決しようとする課題】
【０００４】
本発明の課題は、カメラを極めて簡単にかつそれにも拘わらず正確に位置決め可能であると共に、比較的有利に製造可能な、カメラを支持体に保持するための装置を提供することである。
【課題を解決するための手段】
【０００５】
上記の課題は、請求項１の特徴を備える、カメラを支持体に保持するための装置により解決される。即ち、本発明の一視点において、カメラを支持体に保持するための装置が提供される。この保持装置において、
基底部材と、前記カメラを保持するよう構成され前記基底部材に結合可能な保持部材を有し、
前記基底部材は、プレスベンディング部材として薄板で一体的に形成され、該基底部材の長手方向に延在する複数の案内ウェブを有し、及び、該長手方向に対する横断方向に所定の間隔をおいて配された弾性舌状部を含んで構成され、
前記保持部材は、当該保持部材が前記基底部材に対し長手方向に案内され摺動可能であるように前記案内ウェブの各々に対し夫々１つのウェブ受容部を有し、及び、前記弾性舌状部の各々に対し夫々１つの舌状部受容部を含んで構成され、
前記弾性舌状部は、前記基底部材に対する前記保持部材の固定位置において、前記舌状部受容部と係合し、該保持部材を該基底部材に対する長手方向の摺動に対し固定するよう構成されたことを特徴とする（形態１・基本構成）。
【発明を実施するための形態】
【０００６】
本発明の装置は、プレスベンディング（プレス曲げ加工）部材として（金属）薄板で一体的に形成されかつ長手方向に延在する複数の案内ウェブを有する基底部材を有することによって、案内ウェブの各々に対し夫々１つのウェブ受容部を有する保持部材を極めて簡単に基底部材上で摺動する（摺動して嵌め合わせる）ことができる。固定位置における弾性舌状部と舌状部受容部の協働によって、保持部材従って該保持部材に結合されたカメラは正確に位置決めされる。
【０００７】
本発明のさらなる有利な実施の形態は従属請求項の対象である。以下に、本発明の好ましい実施の形態を示す：
（形態１）  上記基本構成参照。
（形態２）  上記の保持装置において、前記基底部材は、前記複数の案内ウェブが前記保持部材の方向に延在する突出部としてプレス加工されている平面状の基底プレートを有することが好ましい。
（形態３）  上記の保持装置において、前記基底プレートに対し直角に配向された複数の縁部ウェブが該基底プレートに折り曲げ形成されていることが好ましい。
（形態４）  上記の保持装置において、前記弾性舌状部は、互いに対向して位置する縁部ウェブの、前記基底プレートから離隔する側の端部に形成されていることが好ましい。
（形態５）  上記の保持装置において、前記弾性舌状部は、それぞれ１つの係合凸状部を含んで構成されることが好ましい。
（形態６）  上記の保持装置において、前記保持部材は、前記係合凸状部に対し相補的に形成された係合凹状部を含んで構成されることが好ましい。
（形態７）  上記の保持装置において、前記保持部材は、固定位置において１つの縁部ウェブの（後）端面に当接する係止ノーズを有することが好ましい。
（形態８）  上記の保持装置において、前記保持部材は、複数の側壁を備え、カメラのカメラケーシングに形成された嵌合ヘッドを受容するための嵌合切欠部を備えた受容ケージを有することが好ましい。
（形態９）  上記の保持装置において、前記受容ケージには、固定位置において１つの縁部ウェブに当接する係止ノーズが形成されていることが好ましい。
【０００８】
以下に、本発明の有利な実施例及び本発明の装置の利点を図面を参照して詳細に説明する。なお、以下の説明は本発明の一実施例についての説明に過ぎない。従って、特許請求の範囲に付記された図面参照符号は、専ら発明の理解を助けるためのものであり、本発明を図示の態様に限定することは意図されていない。
【図面の簡単な説明】
【０００９】
【図１】本発明の装置の一実施例を、支持体を指向する下面側から見た斜視図。
【図２】図１の実施例を、支持体の反対側を指向する上面側から見た斜視図。
【図３】図１及び図２に示した実施例の基底部材を、保持部材を指向する側から見た斜視図。
【図４】図１及び図２に示した実施例の保持部材を、基底部材の反対側を指向する側から見た斜視図。
【実施例】
【００１０】
図１は、とりわけ自動車のウィンドウガラス（Scheibe）として構成された支持体（図１に不図示）にカメラ１を固定するための本発明の装置の一実施例の斜視図である。図１の実施例は、プレス曲げ加工部材として（金属）薄板で一体的に形成された基底部材２を有する。基底部材２は、当該基底部材２の長手方向に延在する複数の舌状延出縁部４，５をその一方の端部に含んで構成された平面状の基底プレート３を有する。舌状延出縁部４，５は、各自の接続基部から自由端部の方向に鳩尾状に拡開する間隔が形成されるよう延在し、かくて、舌状延出縁部４，５の間にはＶ字状の視野用切欠部（Sichtfeldausnehmung）が形成される。
【００１１】
図１から明らかなとおり、本発明の装置の図１に図示された実施例は、更に、基底部材２に結合されかつ以下に詳細に説明するような態様でカメラ１を保持するように構成されたプラスチック製の保持部材６を有する。図１から明らかなとおり、保持部材６は、舌状延出縁部４，５の間に形成された視野用切欠部を（上方で）覆い、拡開するよう延在する舌状延出縁部４，５の内縁の延長方向に基底部材２を越えて延在し、及びその構造高さがカメラ１から離隔する方向において減少するよう構成されたシールドカバー７を有する。シールドカバー７は、舌状延出縁部４，５の互いに重なる（交差する）よう延在するべき端部の領域に配置されるカメラ１の対物レンズ１０の視野を横方向においても限定（画定）する両側部の縁部壁８，９を有する。
【００１２】
図１は、更に、この実施例では基底部材２にセンサ装置１１が付設されている様子を示している。
【００１３】
図２は、図１による実施例を、図２にも図示されてない支持体から離隔する側から見た斜視図である。図２から明らかなとおり、基底部材２は、長手方向に対し平行に延在する複数の縁部ウェブ、即ち、一方の長手側に形成された内側縁部ウェブ１２及び該内側縁部ウェブ１２に対し横方向外方にずらされて位置する外側縁部ウェブ１３、及び、反対側の他方の長手側に形成された連続的に（中途で分断されずに）延在する長手縁部ウェブ１４を含んで構成されている。これらの縁部ウェブは、それぞれ基底部材２の長手方向に延在し、かつ、基底プレート３に対し直角に配向されている。基底プレート３と外側縁部ウェブ１３及び長手縁部ウェブ１４との間の移行領域には、図２に図示されていないシステムカバー（の係合部）が嵌合可能でありかつ基底部材２の運搬の際の掴持に利用可能な係合切欠部１５，１６が形成されている。
【００１４】
基底プレート３には、基底部材２の長手方向に延在する複数の案内ウェブ（ないし案内突条）１７，１８，１９がブリッジ状の突出部としてプレス加工により形成されているが、これらの案内ウェブ１７，１８，１９は、当該案内ウェブ１７，１８，１９に対して相補的に形成された（複数の）ウェブ受容部（ないしウェブ受け）を含んで構成された保持部材６を基底部材２上で摺動する（摺動して嵌め合わせる）際に案内することができる。ウェブ受容部の１つは、図２から分かるとおり、保持部材６の受容ケージ２２の後壁２１から外方に延在する２０として構成されている。
【００１５】
受容ケージ２２は、更に、（後）端壁２１に対して実質的に直角に配向されると共に、ウェブ受容台２２の反対側を指向する端壁２１の側においてシールドカバー７の方向に延在する２つの側壁２３，２４を有する。側壁２３，２４には、それぞれ１つの円形の嵌合切欠部２５，２６が形成さているが、これらの嵌合切欠部２５，２６には、夫々、中央対角線（Mitteldiagonal）の両側で傾斜するよう構成されたカメラ１のカメラケーシング２９の嵌合ヘッド２７，２８が嵌まり込むことができる。このため、実質的にＬ字状に構成されたカメラケーシング２９は、その一方の（Ｌ字の）脚部が、受容ケージ２２によって包囲されかつ保持部材６に旋回（枢動）可能に配され、他方の脚部は、シールドカバー７に形成された係止ウェブ３０によってロックされる。
【００１６】
更に、図２から明らかなとおり、基底プレート３から離隔する、内側縁部ウェブ１２の上側及び基底プレート３から離隔する、長手縁部ウェブ１４の上側に、それぞれ１つの弾性舌状部３１，３２が形成されている。これらの弾性舌状部３１，３２は、図２に示した固定位置において、受容ケージ２２に形成された係止ノーズ３５が舌状延出縁部４，５（の自由端部）とは反対の側（ないし離隔する側）を指向する内側縁部ウェブ１２の（後）端面と当接すると同時に、保持部材６に形成された舌状部受容部３３，３４と夫々係合する。このため、保持部材６は、更にこれに応じてカメラ１も、確実かつ高信頼度で正確に位置決めされる。
【００１７】
図３は、図１及び図２の実施例の基底部材２を、保持部材６の指向する側を見た斜視図である。図３から明らかなとおり、この実施例では、可及的に良好な案内態様を達成するために、基底部材２の長手方向に延在しかつこの長手方向に対する横断方向において互いに対しずらされて３つの案内ウェブ１７，１８，１９が配置されている。更に、図３から明らかなとおり、弾性舌状部３１，３２は、各自の舌状セクション３６が内側縁部ウェブ１２又は長手縁部ウェブ１４の内側で延在しかつ内側縁部ウェブ１２又は長手縁部ウェブ１４に対する自由（非接続）区間があるので、弾性的にフレキシブルに（変形可能に）構成されている。舌状延出縁部４，５の自由端部とは反対の側を指向する舌状セクション３６の自由端部には、角が形成されるよう折り曲げ加工することにより、基底プレート３の方向に延在する係合凸状（折曲）部３７がそれぞれ１つ形成されている。
【００１８】
更に注目すべきことは、基底プレート３のねじれ剛性を高めるために、舌状延出縁部４，５に対向して位置する基底プレート３の縁部に、端面ウェブ３８が形成されていることである。内側縁部ウェブ１２及び長手縁部ウェブ１４と、基底プレート３との間の移行領域には、例えばセンサ装置１１のための固定領域を形成するために、長手切欠部（スリット）３９，４０が形成されている。
【００１９】
図４は、図１及び図２に基づいて説明した実施例の保持部材６を、基底部材２とは反対の側から見た図である。図４から明らかなとおり、係止ウェブ（突起）３０は、カメラケーシング２９を固定するために、受容ケージ２２の方向に突出しカメラケーシング２９の対応する脚部をロック可能に構成されたウェブノーズ（係止突部）４１を含んで構成されている。
【００２０】
更に、図４から明らかなとおり、基底部材２とは反対の側を指向する側に係合凸状部３７に対して相補的に（かみ合うように）構成された係合凹状部４４が形成されている舌状部受容部３３，３４が、受容ケージ２２のシールドカバー７を指向する側に形成されている。舌状部受容部３３、３４とシールドカバー７の間において受容ケージ２２と結合する結合ウェブ４５，４６は、縁部側に配された案内ウェブ１８，１９と係合（嵌合）するウェブ受容スリット４７，４８が更なるウェブ受容部として形成されている。
［符号の説明］
１  カメラ
２  基底部材
３  基底プレート（ベースプレート）
４，５  舌状延出縁部
６  保持部材
７  シールドカバー
１１  センサ装置
１２〜１４  内側縁部ウェブ
１７〜１９  案内ウェブ（案内突条）
２０  受容ケージ
２７，２８  嵌合ヘッド
２９  カメラケーシング
３１，３２  弾性舌状部
３３，３４  舌状部受容部
３５  係止ノーズ
３７  係合凸状部
４４  係合凹状部
４７，４８  ウェブ受容部
【国際調査報告】
2009545760.tif 000007
2009545760.tif 000008
2009545760.tif 000009
2009545760.tif 000010